(57)【要約】【課題】  制御回路構成の変更に対し、電子式リレー内のラダーシーケンス変更のみで対応でき、機能ユニット内の配線変更およびハードウェアの追加を必要としないコントロールセンタの新規な機能ユニット構成を実現することを目的とする。【解決手段】  負荷の開閉・保護用主回路機器と、前記負荷の制御用電子式リレーとを収納する機能ユニットを備えたコントロールセンタにおいて、前記機能ユニットの前面に取付けられ外部機器との接続を行う制御線接続端子台を備え、前記電子式リレーの入出力接点の全ての配線を上記制御線接続端子台の指定の端子に接続すると共に、前記指定の端子と同電位を有する他の端子から制御回路変更に応じた任意の端子から外部制御線を選択的に導出するようにしたことを特徴とするコントロールセンタ機能ユニット。【選択図】  図１
2006246651.tif 000002
【特許請求の範囲】
【請求項１】
負荷の開閉・保護用主回路機器と、前記負荷の制御用電子式リレーとを収納する機能ユニットを備えたコントロールセンタにおいて、前記機能ユニットの前面に取付けられ外部機器との接続を行う制御線接続端子台を備え、前記電子式リレーの各入出力接点に対応する配線を上記制御線接続端子台の指定の端子に接続すると共に、前記指定の端子と同電位を有する前記制御線接続端子の他の端子から制御回路変更に応じた任意の端子から外部制御線を選択的に導出するようにしたことを特徴とするコントロールセンタ機能ユニット。
【請求項２】
上記電子式リレーの各入出力接点はコネクタを介して導出され、この導出配線の全てを上記機能ユニットの前面に取り付けられた制御線接続端子台の裏面にある配線用接続端子に接続し、一方、外部制御線は上記制御線接続端子台の表面にある外部制御線用接続端子に選択的に接続されることを特徴とする請求項１に記載のコントロールセンタの機能ユニット。
【請求項３】
上記電子式リレーから導出される各導出配線は、電子式リレーに内蔵されて制御される全ての入出力接点に個々に対応して接続されていることを特徴とする請求項１に記載のコントロールセンタの機能ユニット。
【請求項４】
上記電子式リレーのラダーシーケンス変更のみで多様な制御回路構成の変更に対応できるようにしたことを特徴とする請求項１に記載のコントロールセンタの機能ユニット。
【発明の詳細な説明】
【技術分野】
【０００１】
この発明は、電力用プラント等に使用されるモータの起動制御・保護を行うコントロールセンタの機能ユニットに関し、特に電子式リレーあるいは電子式マルチコントローラ（以下電子式リレーと称す）を組み込んだ機能ユニットに関するものである。
【背景技術】
【０００２】
図７はコントロールセンタの斜視図を示し、１はコントロールセンタの箱体、１aは箱体の上下方向に複数段配置した機能ユニット用の前面扉である。２は前記前面扉１aの内部に収納された機能ユニットで、それぞれ図示しない電動機回路の開閉制御、保護を行うための制御ユニットを構成している。従来の機能ユニット２は、例えば特許文献１に記載されているように、区分遮断器、電磁開閉器、継電器等のユニット内機器の配線を、制御回路構成に基づき外部制御線接続端子台に割り付けて接続し、制御回路を構成していた。
【０００３】
また、最近では、継電器の変わりに電子式リレー３を使用して、簡易プログラムであるラダーシーケンスを書き換えることで、容易に回路構成を変更できるようにしたものがあるが、この電子式リレーの入出力接点の内、必要な接点のみ部分的にコネクタを介して外部取り出しを行い、制御線接続端子台を介して外部の電気機器に接続を行っているのが通常である。
【０００４】
【特許文献１】特開平０６−１５３３２９号公報(第１図)
【発明の開示】
【発明が解決しようとする課題】
【０００５】
従来の電子式リレーを有するコントロールセンタは上記のように構成されているので、機能ユニットの制御回路構成変更時には、電子式リレー内のラダーシーケンスを変更することによりソフトウェア上での対応が可能であるが、従来の電子式リレーからの配線は、制御回路の構成によって回路構成を確認しながら、必要分だけを制御線接続端子台に接続していたため、制御回路構成の変更が発生した場合、新たに追加された配線の接続、不要になった配線の取り外し、および端子台の追加等が必要であるという問題があった。
【０００６】
図８に従来の電子式リレー内の制御回路構成の変更例を示す。例えば、電子式リレー内部のソフトウェア上で構成されるａ接点１８とｂ接点１９からなる構成を、ｂ接点１９を取り消し、ｃ接点２０を追加する変更があるとする。この場合、接点回路はラダーシーケンスを変更することで簡単に実現できるが、制御線接続端子台への配線に関しては図９で示す４点端子台２１においては、不用になった接点の配線２２を取り外し、元の４点端子台２１に１つの端子台２１aを追加し、新規追加した接点の配線２３を接続しなければならなかった。また、図１０で示すように、接点数に余裕のある端子台２４の場合でも、新規追加した接点の配線２３が必要となっていた。なお、図９、図１０において、端子Ｅ1〜Ｅ7はそれぞれ図８に示すように電子式リレー内に内蔵された各入出力用の各接点両端の端子に対応している。
【０００７】
電子式リレーの性能が低く、入出力接点の配線が少なければこの方式でも十分に対応可能であった。しかし、電子式リレーの高性能化により使用できる機能の増加、それに伴う配線の増加のため、上記のように必要な制御線を選択し、回路構成を確認しながら制御線接続端子台へ接続する作業には多大な時間を費やすこととなっていた。また、制御回路構成の変更が発生した場合にも、不要配線の取り外し、および追加の制御線が多くなるため、新規の配線以上に作業が困難であり、非常に作業性が悪いものであった。コントロールセンタにおける制御回路の変更は日常的に発生し、従来の配線方式では作業効率が悪く、再配線を何度も行うことで誤配線の可能性が非常に高くなっていた。
【０００８】
この発明は、かかる問題点を解決するためになされたもので、機能ユニット組立て時より多様な制御回路構成に電子式リレー内のラダーシーケンス変更のみで対応できるようにしておくことで、制御回路構成の変更に対し、機能ユニット内の配線変更およびハードウェアの追加を必要としないコントロールセンタの新規な機能ユニット構成を実現することを目的とする。
【課題を解決するための手段】
【０００９】
この発明は、負荷の開閉・保護用主回路機器と、前記負荷の制御用電子式リレーを有する機能ユニットを備えたコントロールセンタにおいて、前記機能ユニットの前面に取付けられ外部機器との接続を行う制御線接続端子台を備え、前記電子式リレーの入出力接点の配線を全て制御線接続端子台の指定の端子に接続すると共に、前記指定の端子と同電位を有する他の任意の端子から外部制御線を導出するようにした機能ユニット構造を備えたものである。
【発明の効果】
【００１０】
この発明にかかるコントロールセンタの機能ユニットにおいては、電子式リレーの全入出力接点を、機能ユニット組立時から制御線接続端子台の指定個所に接続しておき、作業者が機能ユニットの表面から制御回路構成の変更に応じた指定の外部制御線用接続端子に挿脱することにより、電子式リレー内部のラダーシーケンス変更のみで簡単に多様な制御回路構成に対応できる効果を有するものである。
【発明を実施するための最良の形態】
【００１１】
実施の形態１．
図１はこの発明の実施形態１におけるコントロールセンタの機能ユニットの正面図を示し、図２は同じくその下面図を示し、図３はコントロールセンタの機能ユニット部の平面断面図を示すものである。
図において、２は機能ユニット、３は電子式リレー、４は内部に２つ割れの接続片を介して母線１７に接触し三相給電を受ける接続子、４ａは一端が前記接続子４に接続され他端を区分遮断器５の入力端子５ａに接続する主回路配線、６は機器取付け用のベースをそれぞれ示している。
【００１２】
上記した区分遮断器５は前記ベース６に取付けられ、入力端子５ａと出力端子５ｂの向きを左右方向とし、３相各相を上下方向に間隔を設けて水平に配置している。７は前記ベース５に取付けられた電磁開閉器で、入力端子７ａと出力端子７ｂの向きを左右方向とし、３相各相を上下方向に間隔を設けて水平に配置している。４bは上記区分遮断器５の出力端子５bと上記電磁開閉器７の入力端子７aとを接続する主回路配線であり、８は前記遮断器５と前記電磁開閉器７の間でベース６上に位置し、上記主回路配線４bを貫通するように取付けられた電流センサ（変流器）で、これによって検出された信号は回路の保護・制御を行う電子式リレー３に入力するように構成されている。
【００１３】
９は機能ユニット２の前面下方部分に位置し、機能ユニット２の側壁２aから直角方向に張り出した端子台取付板１０にネジ等で固定された制御線接続端子台である。１１は図示しない負荷に接続されるケ−ブルで、前記電磁開閉器７の出力端子７ｂからその先端部を略直角に折り曲げ機能ユニット２の側部に沿ってコントロールセンタの下方に下りて、外部に導出されている。
なお、１２は上記区分遮断器の入り・切りを外部前面から操作する操作用ハンドルであり、このハンドル１２と上記電子式リレー３の一部が、前面扉１aから突出している構成となっている（図３参照）。
【００１４】
続いて、ラダーシーケンス変更のみで多様な制御回路構成への対応を可能とした電子式リレー３の制御配線について説明する。電子式リレー３の全入出力接点はコネクタ１３を介して導出され、この導出配線１４の全てを機能ユニット２の前面下方に取り付けられた制御線接続端子台９の裏面にある電子式リレー側配線用接続端子９ｂに接続し、一方、外部制御線１５は制御線接続端子台９の表面にある外部制御線用接続端子９ａに挿入することにより接続される。
【００１５】
図５は上記制御線接続端子台９の斜視図を、図６はその側断面図を示しており、前述したように裏面には電子式リレー３の全入出力接点から導出された配線１４が制御線接続端子台９の裏面端子９ｂに差し込み接続されている。一方、表面には上記端子９ｂと同電位である外部制御線用接続端子９ａが複数個配置（図では上下２段に）されており、これに必要な外部制御線１５が差し込み接続されている。なお、この外部制御線１５の差込部分には安全性と補強のための絶縁カバー１６が施されている。
【００１６】
このように構成されたコントロールセンタの機能ユニット２において、図に示す制御回路構成変更時を例に挙げると、図４で示すように、電子式リレー３の入出力接点Ｅ１〜Ｅ８を全て制御線接続端子台９に接続しているため、外部制御線１５のみの接続変更により簡単に対応でき、それ以外の配線変更、および端子台の追加等ハードウェアの変更が一切不要になる。このため、急な変更にも短時間で対応でき、さらに、既設のコントロールセンタの改造でも工事期間の短縮、またはユーザによる変更が可能であるため、コスト削減の効果がある。
【００１７】
さらに、機能ユニット２組立時に機能ユニット２内の全ての配線を制御線接続端子台９の裏面に接続するため、表面に複雑な配線が出てこず、ユーザが外部制御線１５を表面端子９ａに接続しやすい構成となる。また、電子式リレー３の全入出力接点を制御線接続端子台９の指定の端子に接続することにより、制御回路の構成に関わらず同様の配線作業を行うため、作業効率向上、配線の誤接続抑制の効果がある。また、事前に配線済み制御線接続端子台を作成可能なため、機能ユニット製作工程の短縮にもつながる。さらに、制御線接続端子台９の配線の割当が一定のため、制御回路構成変更時にも外部制御線用接続端子９ａの接続場所で困惑しにくくなる。
【図面の簡単な説明】
【００１８】
【図１】この発明の実施形態１におけるコントロールセンタの機能ユニットを示す正面図である。
【図２】この発明の実施形態１におけるコントロールセンタの機能ユニットを示す下面図である。
【図３】この発明の実施形態１におけるコントロールセンタの機能ユニットの上部から見た平面断面図を示している。
【図４】この発明の制御回路構成変更時の配線および端子台構成図である。
【図５】この発明の制御線接続端子台の全体を示す斜視図である。
【図６】同じく上記制御線接続端子台の側断面図を示している。
【図７】コントロールセンタの全体構成図を示す。
【図８】制御回路構成変更の一例を示す概略図である。
【図９】従来の制御回路構成変更時の配線、および端子台構成図である。
【図１０】従来の他の制御回路構成変更時の配線、および端子台構成図である。
【符号の説明】
【００１９】
１：コントロールセンタ箱体、
２：機能ユニット、
３：電子式リレー、
４：接触子、
４ａ、４ｂ：主回路配線、
５：区分遮断器、
６：取付けベース、
７：電磁開閉器、
８：電流センサ、
９：制御線接続端子台、
１０：端子台取付板、
１１：ケーブル、
１２：遮断器操作用ハンドル、
１３：コネクタ、
１４：電子式リレーからの導出配線、
１５：外部制御線、
１６：絶縁カバー。
【図１】
2006246651.tif 000003
【図２】
2006246651.tif 000004
【図３】
2006246651.tif 000005
【図４】
2006246651.tif 000006
【図５】
2006246651.tif 000007
【図６】
2006246651.tif 000008
【図７】
2006246651.tif 000009
【図８】
2006246651.tif 000010
【図９】
2006246651.tif 000011
【図１０】
2006246651.tif 000012